(57)【要約】【課題】躯体柱の微細な傾き等、躯体側に施工誤差等による配置のずれが存在する場合であっても、そのずれを容易に吸収することを可能とする軽量気泡コンクリートパネル用の取付け金物を提供すること。【解決手段】躯体側受け金物１と、アングル連結用金物２と、を含んでなる、軽量気泡コンクリートパネル用の取付け金物セットであって、躯体側受け金物１は、略矩形状の平板部１１と、平板部１１の上辺部と下辺部がＪ字型に折り返されてなる一対のフック部１２と、を有し、アングル連結用金物２は、躯体側受け金物１の平板部１１の端部とフック部１２との間の隙間幅に継合可能な厚さの金属板がＬ字型に折曲げられてなり、互いに直交する躯体側基板部２１とアングル連結部２２とにより構成されていて、躯体側基板部２１には、金属板の折り曲げ線に直交する方向に切り欠かれた水平スリット２１１が形成されている、取付け金物セットとする。【選択図】図２
2020051180.tif 000002
【特許請求の範囲】
【請求項１】
躯体側受け金物と、アングル連結用金物と、を含んでなる、軽量気泡コンクリートパネル用の取付け金物セットであって、
前記躯体側受け金物は、略矩形状の平板部と、該平板部の上辺部と下辺部がＪ字型に折り返されてなる一対のフック部と、を有し、
前記アングル連結用金物は、前記躯体側受け金物の平板部の端部とフック部との間の隙間幅に継合可能な厚さの金属板がＬ字型に折曲げられてなり、互いに直交する躯体側基板部とアングル連結部とにより構成されていて、
前記躯体側基板部には、前記金属板の折り曲げ線に直交する方向に切り欠かれた水平スリットが形成されている、取付け金物セット。
【請求項２】
前記アングル連結用金物の前記躯体側基板部の上辺には、切り欠き幅が底部に向けて漸減する逆テーパ状の切り欠きである上辺側切り欠き部が形成されていて、
前記躯体側基板部の下辺には、帯状の切り欠きであって、その底辺中央に三角形状の突起部が形成されている下辺側切り欠き部が形成されている、請求項１に記載の取付け金物セット。
【請求項３】
前記アングル連結用金物の前記アングル連結部には、アングル継合用ボルトが設置されている、請求項１又は２に記載の取付け金物セット。
【請求項４】
請求項１から３に記載の取付け金物セットと、断面Ｌ字型のアングル材と、軽量気泡コンクリートパネルと、を含んで構成されている、軽量気泡コンクリートパネルの取付け構造であって、
前記躯体側受け金物は躯体柱に溶接されていて、
前記アングル連結用金物は、前記躯体側基板部が、一対の前記フック部に挟持される態様で、前記躯体側受け金物に固定されていて、
前記アングル連結用金物の前記アングル連結部に前記アングル材の一端が固定されていて、
前記アングル材の他端が前記軽量気泡コンクリートパネルに直接又は更に他の取付け金物を介して接合されている、軽量気泡コンクリートパネルの取付け構造。
【請求項５】
請求項１から３のいずれかに記載の取付け金物セットを用いて軽量気泡コンクリートパネルを建物躯体に取り付ける軽量気泡コンクリートパネルの取付け方法であって、
前記躯体側受け金物を躯体柱に溶接する躯体側受け金物溶接工程と、
前記躯体側受け金物に前記アングル連結用金物を締結固定するアングル連結用金物締結工程と、を含んでなり、
前記躯体側受け金物溶接工程は、軽量気泡コンクリートパネルの施工現場外において行い、
前記アングル連結用金物締結工程は、軽量気泡コンクリートパネルの施工現場内において行い、
該アングル連結用金物締結工程においては、前記躯体側受け金物に前記アングル連結用金物を仮固定した後に、前記水平スリットの幅の範囲で前記躯体柱の施工位置誤差を吸収する該アングル連結用金物の設置位置の最終調整を行い、該最終調整を経た後に、前記アングル連結用金物を前記躯体側受け金物に最終的に固定する、
軽量気泡コンクリートパネルの取付け方法。
【発明の詳細な説明】
【技術分野】
【０００１】
本発明は、軽量気泡コンクリートパネル（ＡＬＣパネル）用の取付け金物、及び、それを用いた軽量気泡コンクリートパネルの取付け構造に関する。
【背景技術】
【０００２】
ＡＬＣパネルを用いて壁体を形成する壁構造の一例として、これらの各パネルをその長手方向を水平方向に配置し、ＡＬＣパネルの両端を構造躯体である躯体柱に取り付ける横壁構造が知られている。
【０００３】
従来の横壁パネルの取付け構造として、例えば、図１１に示す取付け構造が知られている。かかる構造では、１本の躯体柱４の両側に、下地用取付け金物２０を先ず固定し、それぞれの下地用取付け金物２０を介してその両側に断面Ｌ字型のアングル材５を固定し、軽量気泡コンクリートパネル（ＡＬＣパネル）８の長手方向の両端近傍で、鉛直方向中央に埋設されているアンカー金具９と、ボルト７とにより、隣接する２枚のＡＬＣパネル８それぞれに固定された断面Ｚ型のイナズマ金物６を、それぞれのアングル材５に固定することで、隣接するＡＬＣパネル８を両者間の目地部を中心として構造躯体に取り付けている。
【０００４】
これに対して、例えば、１本の躯体柱に、下地用取付け金物を突設し、躯体柱と平行に、アングル材を下地用取付け金物に取り付け、アングル材に、取付け金物である平プレートを固定し、隣接するＡＬＣパネルの端部を両者間の目地部を中心として１枚の平プレートに固定することで、ＡＬＣパネルを構造躯体に取り付ける取付け構造も開示されている（特許文献１、２）。
【０００５】
ここで、ＡＬＣパネルをイナズマ金物或いは平プレートに固定する際、例えば、水平方向に隣接するＡＬＣパネル毎に埋設されたアンカー金具が、水平方向にずれているという施工誤差が存在する場合は、イナズマ金物或いは平プレートのボルト孔を、水平方向に伸長する長孔としておくことによってもこのような誤差を吸収することは可能である。しかしながら、躯体柱の微細な傾き等、躯体側に施工誤差等による配置のずれが存在する場合、このような誤差は、躯体柱の両側に配置されるＡＬＣパネルそれぞれに異なる影響を与えるため、パネル毎にずれを吸収して正しい位置に設置する作業は、高い精度の手作業が要求され困難且つ繁雑なものとなる。
【先行技術文献】
【特許文献】
【０００６】
【特許文献１】特開２０００−９６７４７号公報
【特許文献２】特開２０００−２６５６０６号公報
【発明の概要】
【発明が解決しようとする課題】
【０００７】
本発明は、躯体柱の微細な傾き等、躯体側に施工誤差等による配置のずれが存在する場合であっても、そのずれを容易に吸収することを可能とする軽量気泡コンクリートパネル用の取付け金物を提供することを目的とする。
【課題を解決するための手段】
【０００８】
本発明者らは、それぞれ特定形状を有する二つの金具、即ち、本発明独自の形状からなる躯体取付け用金物と、アングル連結用金物とが継合一体化されてなる構造を有する取付け構造により、躯体柱の施工誤差を容易に吸収して、上記課題が解決できることを見出し、本発明を完成するに至った。具体的には、本発明は、以下のものを提供する。
【０００９】
（１）  躯体側受け金物と、アングル連結用金物と、を含んでなる、軽量気泡コンクリートパネル用の取付け金物セットであって、前記躯体側受け金物は、略矩形状の平板部と、該平板部の上辺部と下辺部がＪ字型に折り返されてなる一対のフック部と、を有し、前記アングル連結用金物は、前記躯体側受け金物の平板部の端部とフック部との間の隙間幅に継合可能な厚さの金属板がＬ字型に折曲げられてなり、互いに直交する躯体側基板部とアングル連結部とにより構成されていて、前記躯体側基板部には、前記金属板の折り曲げ線に直交する方向に切り欠かれた水平スリットが形成されている、取付け金物セット。
【００１０】
（１）の発明に係る取付け金物セットを用いることにより、ＡＬＣパネルを用いた壁体の構成に際して、躯体柱の微細な傾き等、躯体側に施工誤差等による配置のずれが存在する場合であっても、そのずれを実施容易な手順によって吸収して、取付け金物の設置位置を的確に微調整し、建造物における設計上の正しい位置に正確にＡＬＣパネルを設置することができる。
【００１１】
（２）  前記アングル連結用金物の前記躯体側基板部の上辺には、切り欠き幅が底部に向けて漸減する逆テーパ状の切り欠きである上辺側切り欠き部が形成されていて、前記躯体側基板部の下辺には、帯状の切り欠きであって、その底辺中央に三角形状の突起部が形成されている下辺側切り欠き部が形成されている、（１）に記載の取付け金物セット。
【００１２】
（２）の発明によれば、（１）に記載の発明により形成されたＡＬＣパネル壁体において、設置位置が最適に調整されている本発明の取付け金物の位置が、その後の様々な外力によって変動することを防止するために必要な十分な固定強度を、簡易な作業によりＡＬＣパネルの取付け構造に保持させることができる。これによりこのＡＬＣパネル取付け構造の長期耐久性も向上させることができる。
【００１３】
（３）  前記アングル連結用金物の前記アングル連結部には、アングル継合用ボルトが設置されている、（１）又は（２）に記載の取付け金物セット。
【００１４】
（３）の発明によれば、（１）又は（２）の発明の効果を享受しつつ、尚且つ、ＡＬＣパネルを建物躯体に取り付ける施工現場での溶接作業を不要とすることにより、ＡＬＣパネル壁体を形成する際の作業の安定性と作業性を向上させることができる。
【００１５】
（４）  （１）から（３）に記載の取付け金物セットと、断面Ｌ字型のアングル材と、軽量気泡コンクリートパネルと、を含んで構成されている、軽量気泡コンクリートパネルの取付け構造であって、前記躯体側受け金物は躯体柱に溶接されていて、前記アングル連結用金物は、前記躯体側基板部が、一対の前記フック部に挟持される態様で、前記躯体側受け金物に固定されていて、前記アングル連結用金物の前記アングル連結部に前記アングル材の一端が固定されていて、前記アングル材の他端が前記軽量気泡コンクリートパネルに直接又は更に他の取付け金物を介して接合されている、軽量気泡コンクリートパネルの取付け構造。
【００１６】
（４）の発明によれば、（１）から（３）のいずれかの発明の効果を享受することにより、品質安定性と長期耐久性に優れるＡＬＣパネル壁体の製造が可能となる。
【００１７】
（５）  （１）から（３）のいずれかに記載の取付け金物セットを用いて軽量気泡コンクリートパネルを建物躯体に取り付ける軽量気泡コンクリートパネルの取付け方法であって、前記躯体側受け金物を躯体柱に溶接する躯体側受け金物溶接工程と、前記躯体側受け金物に前記アングル連結用金物を締結固定するアングル連結用金物締結工程と、を含んでなり、前記躯体側受け金物溶接工程は、軽量気泡コンクリートパネルの施工現場外において行い、前記アングル連結用金物締結工程は、軽量気泡コンクリートパネルの施工現場内において行い、該アングル連結用金物締結工程においては、前記躯体側受け金物に前記アングル連結用金物を仮固定した後に、前記水平スリットの幅の範囲で前記躯体柱の施工位置誤差を吸収する該アングル連結用金物の設置位置の最終調整を行い、該最終調整を経た後に、前記アングル連結用金物を前記躯体側受け金物に最終的に固定する、軽量気泡コンクリートパネルの取付け方法。
【００１８】
（５）の発明によれば、（１）から（３）のいずれかの発明の効果を享受することにより、品質安定性と長期耐久性に優れるＡＬＣパネル壁体の製造が可能となる。
【発明の効果】
【００１９】
本発明によれば、躯体柱の微細な傾き等、躯体側に施工誤差等による配置のずれが存在する場合であっても、そのずれを容易に吸収することができる。
【図面の簡単な説明】
【００２０】
【図１】本発明の取付け金物セットを用いた軽量気泡コンクリートパネルの取付け構造の斜視図である。
【図２】本発明の取付け金物セットを用いた軽量気泡コンクリートパネルの取付け構造の上面図である。
【図３】本発明の取付け金物セットを用いた軽量気泡コンクリートパネルの取付け構造の側面図である。
【図４】本発明の取付け金物セットを構成する躯体側受け金物の３面図である。
【図５】本発明の取付け金物セットを構成するアングル連結用金物の３面図である。
【図６】上記アングル連結用金物のより詳細な平面図である。
【図７】本発明のを用いた軽量気泡コンクリートパネルの取付け構造の正面図である。
【図８】本発明の取付け金物セットのロック機構、及び、本発明の取付け金物セットを用いた軽量気泡コンクリートパネルの取付け構造において、躯体側の施工誤差を吸収する機能の説明に供する図面である。
【図９】上記アングル連結用金物の他の好ましい実施形態の平面図である。
【図１０】図９のアングル連結用金物により構成される取付け金物セットを用いた軽量気泡コンクリートパネルの取付け構造の上面図である。
【図１１】従来の軽量気泡コンクリートパネルの取付け構造の上面図である。
【発明を実施するための形態】
【００２１】
以下、本発明の軽量気泡コンクリートパネルの取付け構造、軽量気泡コンクリートパネル用の取付け金物セットと、これを構成する各取付け金物の好ましい実施形態、及び、この取付け金物を用いて行うことができる「軽量気泡コンクリートパネルの取付け方法」について説明する。尚、以下においては、主に、複数の長方形のＡＬＣパネルを、横積みにして建造物の柱等の躯体柱にパネル両端部を溶接することによって建物の帳壁を構成する壁体に本発明を適用する場合の実施形態について説明する。
【００２２】
＜軽量気泡コンクリートパネルの取付け構造＞
本発明の軽量気泡コンクリートパネルの取付け構造１０によれば、図１に示すように、ＡＬＣパネル８の長手方向を水平に配置して、隣接するＡＬＣパネル８の長手方向端部を構造躯体である躯体柱４に取り付ける横壁工法により、複数のＡＬＣパネル８が躯体柱４等の構造躯体に取り付けられてなるＡＬＣ壁体１００を建造することができる。
【００２３】
図１〜図３に示す通り、軽量気泡コンクリートパネルの取付け構造１０は、イナズマ金物６及びボルト７等の取付け金具によってＡＬＣパネル８と接合される断面Ｌ字型のアングル材５が、本発明の取付け金物セットを構成する２つの金物、即ち、アングル連結用金物２と躯体側受け金物１とを介して躯体柱４に固定されている構造である。取付け金物セットを構成する各金物の詳細については後述する。
【００２４】
図２及び図３に示す通り、軽量気泡コンクリートパネルの取付け構造１０においては、躯体柱４に、躯体側受け金物１が溶接により固定されている。この躯体側受け金物１は、略矩形状の板状の部分である平板部１１と、平板部１１の上辺部と下辺部がＪ字型に折り返されて形成されている一対のフック部１２とを有する金属製の部材である。そしてアングル連結用金物２は、その躯体側基板部２１が、一対のフック部１２に挟持される態様で、躯体側受け金物１に固定されている。
【００２５】
尚、ＡＬＣ壁体１００を構成するＡＬＣパネル８は、種々の製品規格があり特に限定はされないが、幅６００ｍｍ、長さ１８００ｍｍ〜５０００ｍｍ、厚さ１００ｍｍ〜１５０ｍｍ程度のサイズが標準的である。ＡＬＣパネル８の長手方向端部近傍（短辺小口面から７０ｍｍ以上）で鉛直方向（幅方向）の中央部に、アンカー金具９が埋設されている（図２参照）。上記のアングル材５のＡＬＣパネル８への接合は、ボルト７をイナズマ金物６のボルト孔を通して、このアンカー金具９に締着させることにより行われる。
【００２６】
図１に示すような横壁工法により、ＡＬＣ壁体１００を構成するためには、ＡＬＣパネル８の長手方向を水平に配置して、隣接するＡＬＣパネルの長手方向端部（短辺小口面）を、目地部を介して突き合わせ、両者の長手方向端部を構造躯体である一本の躯体柱４に取り付け、且つ、一枚のＡＬＣパネル８の両端が二本の躯体柱４に取り付けられることにより、水平方向に複数のＡＬＣパネル８が躯体柱４に連続的に取り付けられる。鉛直方向には、下段のＡＬＣパネル８の長辺小口面上に上段のＡＬＣパネルを載置するか、或いは、躯体柱４に固定された自重受け金物（図視は省略されている）にＡＬＣパネル８を載置することにより、複数段のＡＬＣパネルからなるＡＬＣ壁体１００が形成される。
【００２７】
＜軽量気泡コンクリートパネル用の取付け金物セット＞
本発明の軽量気泡コンクリートパネル用の取付け金物セットは、少なくとも、図４に示す躯体側受け金物１と、図５に示すアングル連結用金物２とを含んで構成される。これら２種の金物を組合せて用いることにより、上述の軽量気泡コンクリートパネルの取付け構造１０を構成することができる。
【００２８】
［躯体側受け金物］
図４に示す通り、「取付け金物セット」を構成する躯体側受け金物１は、上述の通り、平面視において略矩形状の板状の部分である平板部１１と、平板部１１の上辺部と下辺部がＪ字型に折り返されて形成されている一対のフック部１２とを有する金属製の部材である。一対のフック部１２の形状は、アングル連結用金物２との継合時の安定性を高めるために、アングル連結用金物２を構成する板材の厚さ（図５におけるｔ２）以上で且つ略同一幅の隙間（図４におけるｔ１幅の隙間）を平板部１１の両端部との間に形成することができる形状とする（図３参照）。
【００２９】
又、躯体側受け金物１の平板部１１の中央部には、固定用ボルト３１によってアングル連結用金物２を躯体側受け金物１に締結するための固定ボルト用孔１１１が形成されている。又、躯体側受け金物１のフック部１２を形成しているＪ字形状の折り返し部分の各頂部にも、水平方向移動防止ボルト３２Ａ、３２Ｂによってアングル連結用金物２を躯体側受け金物１に締結するための水平方向移動防止ボルト用孔１１２がそれぞれ形成されている。
【００３０】
［アングル連結用金物］
図５に示す通り、「取付け金物セット」を構成するアングル連結用金物２は、前記躯体側受け金物１のフック部１２を形成するための平板部１１の上下の折り返し部分の内面間の距離（図４に示すｔ１）以下で略同厚さ（図５に示すｔ２）の金属板がＬ字型に折曲げられてなる金属部材である。そしてこの折曲げ線を挟んで直交する２つの平面部分である躯体側基板部２１とアングル連結部２２とを含んで構成されている。
【００３１】
図６に示す通り、躯体側基板部２１の中央部近傍には、上記折り曲げ線に直交する方向に切り欠かれた水平スリット２１１が形成されている。この水平スリット２１１の幅（図６に示すｂ×２に相当する長さ）は、上辺側切り欠き部２１２の斜辺の形成幅によって規定される水平方向移動防止ボルト３２Ａ、３２Ｂの水平位置を調整する際の可動域の長さ（図６におけるｃ×２に相当する長さとなる）に、これらのボルト径（図６におけるａに相当する長さ）を加えた大きさとされている。
【００３２】
又、同じく図６に示す通り、躯体側基板部２１の上辺（折曲げ線に直交する２辺のうちの１辺）には、切り欠き幅が底部に向けて漸減する逆テーパ状の切り欠きである上辺側切り欠き部２１２が形成されている。この上辺側切り欠き部２１２は、その逆テーパ状の切り欠きの底部を構成する底辺の幅が、水平方向移動防止ボルト３２Ａ、３２Ｂのボルト径（ａ）と等しい幅となるように形成されている。又、上辺側切り欠き部２１２の斜辺が形成されている部分の水平幅（図６のｃに相当する長さ）が、上述の通り、水平方向移動防止ボルト３２Ａ、３２Ｂの水平位置を調整する際の可動域の長さ（ｃ）となる。
【００３３】
一方、同じく図６に示す通り、躯体側基板部２１の下辺（折曲げ線に直交する２辺のうちの他の１辺）には、帯状の切り欠きであって、その底辺中央に三角形状の突起部が形成されている下辺側切り欠き部２１３が形成されている。この下辺側切り欠き部２１３は、三角形状の突起部の両側においてスリットの底部を形成している各底辺の幅が、水平方向移動防止ボルト３２Ａ、３２Ｂのボルト径（ａ）と等しい幅となるように形成されている。又、下辺側切り欠き部２１３の三角形状の突起部の斜辺が形成されている範囲の水平幅（図６のｄに相当する長さ）が、上述の可動域の長さ（ｃ）からボルト径（ａ）の１／２の長さを差し引いた長さとされている。
【００３４】
本発明の「ＡＬＣパネルの取付け構造」及び「ＡＬＣパネルの取付け方法」において、上記の各切り欠き部のサイズや形に基づいて発現させることができるＡＬＣパネルの位置調整機能やロック機能の詳細については、「ＡＬＣパネルの取付け方法」の詳細な説明と合せて後述する。
【００３５】
又、アングル連結用金物２は、図９に示す通り、アングル連結部２２に、アングル継合用ボルト２３が更に立設されていることが好ましい。アングル継合用ボルト２３が立設されていることにより、図１０に示すように、アングル材５をアングル連結部２２にボルト締めにより締結することができ、ＡＬＣパネルでの施工現場でのパネル取付け作業における溶接作業を不要とし、よりいっそうの作業の簡易化と効率化を図ることができる。
【００３６】
＜軽量気泡コンクリートパネルの取付け方法＞
以下、本発明の「軽量気泡コンクリートパネル用の取付け金物セット」を用いて、軽量気泡コンクリートパネルの建物躯体への取付けを行う、「軽量気泡コンクリートパネルの取付け方法」について説明する。この方法は、少なくとも、鋼材生産工場内等において、躯体側受け金物１を、躯体柱として用いる鋼材等に溶接により固定する躯体側受け金物溶接工程と、躯体柱に固定されている躯体側受け金物１に、アングル連結用金物２を締結固定するアングル連結用金物締結工程とを含んでなるプロセスである。
【００３７】
［躯体側受け金物溶接工程］
本発明の軽量気泡コンクリートパネルの取付け方法においては、上記２つの必須の工程のうち、取付け金物セットの１部品である躯体側受け金物１を用いる「躯体側受け金物溶接工程」については、軽量気泡コンクリートパネルの施工現場外の工場（一例として躯体柱４として用いるＨ型鋼を加工する鉄骨工場）において行うことが好ましい。
【００３８】
この躯体側受け金物溶接工程においては、躯体柱４とする鋼材のＡＬＣパネルの施工現場への搬入に先行して、躯体柱４の設置時に躯体側受け金物１の上辺側切り欠き部２１２が形成されている上辺が、鉛直上側に配置されることを想定して、躯体柱４とする鋼材（Ｈ型鋼等）適切な位置に躯体側受け金物１を溶接し固定する。このようにして、躯体側受け金物１は、上記鋼材に固定された状態で軽量気泡コンクリートパネルの施工現場に搬入される。
【００３９】
［アングル連結用金物締結工程］
本発明の軽量気泡コンクリートパネルの取付け方法においては、上記２つの必須の工程のうち、取付け金物セットの他の１部品であるアングル連結用金物２を用いる「アングル連結用金物締結工程」については、軽量気泡コンクリートパネルの施工現場内において行う。
【００４０】
このアングル連結用金物締結工程においては、先ず、躯体柱４の所定位置に予め固定されている躯体側受け金物１の一対のフック部１２により形成される幅ｔ１の差し込みスペースに、アングル連結用金物２の厚さｔ２（ｔ１≒ｔ２）の躯体側基板部２１を差し込んで、アングル連結用金物２が一対のフック部１２に挟持されるように配置し、この状態で固定用ボルト３１によりアングル連結用金物２を躯体側受け金物１に仮固定する。この仮固定は、手作業による押圧によって左右への摺動が可能な程度の締め付け強度で締結することが好ましい。
【００４１】
アングル連結用金物２の上記の仮固定後、躯体柱４の施工位置誤差に応じて躯体側の下地金物となるアングル連結用金物２の配置位置について最終的な微調整を行う。この微調整は具体的には、躯体側受け金物１のアングル連結用金物２の上記の仮固定後、躯体柱４の施工位置誤差（鉛直方向からの微少な倒れ等）に応じて、アングル連結用金物２を水平スリット２１１の水平方向の総長さ（図６におけるｂ×２に相当する長さ）から固定ボルトの半径（図６におけるａ／２に相当する長さ）分の長さを差し引いた長さ（図６における長さｃに相当）である、上述の「可動域範囲（ｃ）内」で横方向に上記施工誤差に応じて必要な距離だけスライドさせることにより行う。
【００４２】
この調整は、より詳細には、例えば、図８に示すように、躯体柱４が図中の左方向に向かってｍ１だけ設計上の所定位置からずれて設置されている場合であれば、上記の可動域範囲（ｃ）内で、アングル連結用金物２を右方向に−ｍ１だけ移動させることで、アングル連結用金物２を、設計上の本来のあるべき位置に移動させることができる。この状態において、固定用ボルト３１と、水平方向移動防止ボルト３２Ａ、３２Ｂを、最終的な固定強度で締めつけてアングル連結用金物２を最終的に固定する。
【００４３】
図８に示すように、上記の可動域範囲ｃの範囲内でアングル連結用金物２が水平方向に移動した後に最終固定した場合、水平方向移動防止ボルト３２Ａ及び３２Ｂは、それぞれ上辺側切欠き部２１２、下辺側切り欠き部２１３の反対方向に傾く斜辺部分と接触した状態で係止され、両水平方向へのその後の移動が防止される。このようにして、アングル連結用金物２の固定強度を十分に好ましい強度に維持するロック機能をＡＬＣパネル取付け構造に保持させることができる。
【００４４】
尚、上記のアングル連結用金物２の最終固定位置の調整は、左右片側毎に７．５ｍｍずつ、両側合計で１５ｍｍ行えるように、上述の可動域の幅（ｃ）を設定しておくことが好ましい。これは（社）日本建築学会「鉄骨精度測定指針」により、柱の最大倒れの限界許容差が１５ｍｍと規定されていることによるところである。
【００４５】
［パネル取付け工程］
アングル連結用金物締結工程の終了後、アングル連結用金物２の両側面に、アングル材５を溶接又はボルト締結により固定し、更に、このアングル材５を、上述したように、イナズマ金物６等を用いてＡＬＣパネルと接合することにより、ＡＬＣパネルを躯体柱４に取り付ける。以上の工程を経ることにより、複数段のＡＬＣパネルからなるＡＬＣ壁体１００を、高い品質安定性を従来よりも容易に保持しながら建造することができる。
【符号の説明】
【００４６】
１                躯体側受け金物
１１              平板部
１１１            固定用ボルト孔
１１２            水平方向移動防止ボルト用孔
１２              フック部
２                アングル連結用金物
２１              躯体側基板部
２２              アングル連結部
２１１            水平スリット
２１２            上辺側切り欠き部
２１３            下辺側切り欠き部
３１              固定用ボルト
３２Ａ、３２Ｂ    水平方向移動防止ボルト
４                躯体柱
５                アングル材
６                イナズマ金物
７                ボルト
８                軽量気泡コンクリートパネル（ＡＬＣパネル）
９                アンカー金具
１０              軽量気泡コンクリートパネル（ＡＬＣパネル）の取付け構造
１００            軽量気泡コンクリートパネル（ＡＬＣパネル）壁体
【図１】
2020051180.tif 000003
【図２】
2020051180.tif 000004
【図３】
2020051180.tif 000005
【図４】
2020051180.tif 000006
【図５】
2020051180.tif 000007
【図６】
2020051180.tif 000008
【図７】
2020051180.tif 000009
【図８】
2020051180.tif 000010
【図９】
2020051180.tif 000011
【図１０】
2020051180.tif 000012
【図１１】
2020051180.tif 000013